(57)【特許請求の範囲】
【請求項１】
上下動して縫製を行う針と、
縫製物を載置して縫製位置と布切断位置とに移動する布受け板と、
前記縫製物を押える押え足を有する布押え装置と、を備える穴かがりミシンの布案内装置において、
前記布受け板に取付けられた案内腕取付台と、
前記案内腕取付台に回動自在に取付けられた布案内腕と、
前記布案内腕の回動を１方向に付勢する付勢手段と、
布案内腕の回動量を調節するストッパーと、
布案内腕に固定された布案内取付台と、
前記布案内取付台に取付けられ、布受け板の移動時に、縫製物が前記針と干渉するのを防止する布案内カバーとを備え、
前記布案内カバーを前記押え足の上昇及び下降に無関係に設けたことを特徴とする穴かがりミシンの布案内装置。
【請求項２】
前記布案内腕に傾斜面を設け、前記傾斜面に対する前記ストッパーの位置を移動することにより、前記布案内カバー上面の高さを調節可能としたことを特徴とする請求項１に記載の穴かがりミシンの布案内装置。
【請求項３】
上下動して縫製を行う針と、
縫製物を載置して縫製位置と布切断位置とに移動する布受け板と、
前記縫製物を押える押え足を有する布押え装置と、を備える穴かがりミシンの布案内装置において、
前記布受け板に取付けられた案内腕取付台と、
前記案内腕取付台に回動自在に取付けられた布案内腕と、
前記布案内腕の回動を１方向に付勢する付勢手段と、
布案内腕の回動量を調節するストッパーと、
布案内腕に固定された布案内取付台と、
前記布案内取付台に取付けられ、布受け板の移動時に、縫製物が前記針と干渉するのを防止する布案内カバーとを備え、
布案内取付台に調節ねじを設け、前記調節ねじの先端が、前記押え足の下降時の途中から、前記布押え装置を構成する布押えレバーの端面に接触するようにしたことにより、押え足上昇時の前記布案内カバー上面の高さを、押え足の上昇量に無関係に設定可能としたことを特徴とする穴かがりミシンの布案内装置。
【請求項４】
前記調節ねじの調節により、前記押え足最下降時の押え足下面に対する前記布案内カバー下面の高さを変更可能としたことを特徴とする請求項３に記載の穴かがりミシンの布案内装置。
【請求項５】
前記布案内カバーが、十分な布受け面を有する板状部品で形成されていることを特徴とする請求項１〜４に記載の穴かがりミシンの布案内装置。
【発明の詳細な説明】
【０００１】
【発明の属する技術分野】
本発明は穴かがりミシンの布押え装置に関し、特に縫製物を移動させる際に、針と縫製物との干渉を防止する布案内装置に関するものである。
【０００２】
【従来の技術】
この種の従来の穴かがりミシンの布案内装置については、例えばドイツ連邦共和国特許公告第２９９１２９７０Ｕ１号公報に布案内押え具付き鳩目穴かがりミシンが開示されている。この種の布案内押え具付き鳩目穴かがりミシンについて、図４、図５により説明する。
【０００３】
図４、図５は、布案内装置の主要部で、布押え装置が縫製位置にある状態を示し、図４、図５の左方を前側（作業者側）、右方を後側とし、作業者側から見て左側、右側とする。
１００は布送り台で、不図示の周知の布送り駆動装置により、針棒３１の下端に取付けられた針３０が最上昇位置付近にある時に、布押え装置を、針３０が上下動して縫製を行う縫製位置と、縫製位置より後側にあって不図示のメスにより布を切断する布切断位置とに移動させる。布送り台１００には左右の布受け板１０１、１０２が着脱可能に取付けられており、それぞれの上面には左右の押え受板１０３、１０４が固定されている。
【０００４】
左右の布受け板１０１、１０２の後部には、左右の押えレバー取付台１０５、１０５が固定されており、左右の押えレバー取付台１０５、１０５には左右の支点軸１０６、１０６が回動可能に支持されている。左右の支点軸１０６、１０６には左右の布押えレバー１０９、１１０が固定され、不図示の押え上げ駆動装置により左右の支点軸１０６、１０６を支点に揺動駆動される。
【０００５】
左右の布押えレバー１０９、１１０には左右の押え支持腕１１１、１１２の軸部が固定されており、左右の押え支持腕１１１、１１２の先端には左右の押え足１１３、１１４が回動可能に取付けられている。
また、左右の押え支持腕１１１、１１２の軸部には左右の布案内取付台１１６、１１６の一端が固定されており、左右の布案内取付台１１６、１１６の他端には左右の布案内押え具１１７、１１８が取付けられている。
【０００６】
次に、従来の鳩目穴かがりミシンの布案内装置（布案内押え具）の作用を、例えば、スラックス５０の後ポケット外側５１に鳩目ボタン穴５５を縫製する場合について説明する。
鳩目穴かがりミシンでは、縫製時の鳩目ボタン穴の縫目の裏側が縫製物の表側となるため、スラックス５０の後ポケットに鳩目ボタン穴を縫製する前に縫製物をセットする時には、左右の押え足１１３、１１４の上昇時に、後ポケットの入り口を押し広げて、ボタン穴が縫製されない側のポケット内側５３とウエスト側のスラックス外側５４とを左右の布案内押え具１１７、１１８の凹部１１７ａ，１１８ａに挿入後、ボタン穴が縫製される側のポケット内側５２を上にして、左右の押え足１１３、１１４の下側にセットし、左右の押え足１１３、１１４を下降させて後ポケット部を押さえる。
【０００７】
前記のように後ポケット部を左右の布案内押え具にセットすることにより、押し広げたポケット内側５３とスラックス外側５４とが左右の押え足１１３、１１４の前端側に戻らないように位置決めして保持することができる。
【０００８】
また、左右の布案内押え具１１７、１１８の凹部１１７ａ，１１８ａの内側上面１１７ｂ，１１８ｂでスラックス外側５４を下側に押しているため、布押え装置が布送り台１００とともに、図４の縫製位置よりも後側の布切断位置へ移動する際、および布切断位置から縫製位置へ移動する際に、針３０の先端がスラックス外側５４に触れることを防止できる。
【０００９】
【発明が解決しようとする課題】
しかしながら、この種の鳩目穴かがりミシンの布案内装置においては、布案内押え具が押え支持腕に布案内取付台を介して取付けられているため、押え支持腕が支点軸を中心に揺動すると、布案内押え具は押え足と一緒に上昇または下降する。
従って、ポケット内側５２上に押え足を下降させてポケット内側５２の位置決めをする際に、押え足を上下すると、左右の布案内押え具の凹部１１７ａ，１１８ａに挿入した部分の縫製物も上下してしまうので、ポケット内側５２部も動いてしまい、位置決めがしずらく、作業能率を低下させる問題があった。
【００１０】
また、押え足最下降時の押え足下面に対する布案内押え具下面の高さを調節できないため、縫製物の厚さが変化して布案内押え具の下面に位置する縫製物が厚くなった場合、布案内押え具が持上げられると押え足も一緒に持上げられるので、押え足で縫製物を十分な圧力で押えられないという問題があった。
【００１１】
さらに、この種の布案内押え具には線材が使用されており、左布案内押え具と右布案内押え具との間の水平方向の隙間からスラックス外側の一部が上側にはみ出し、布押え装置が縫製位置から布切断位置へ移動する際、および布切断位置から縫製位置へ移動する際に、針の先端がはみ出したスラックス外側に触れるという問題があった。
【００１２】
【課題を解決するための手段】
上記課題を解決するため、
請求項１の発明は、例えば図１、図３に示すように、 上下動して縫製を行う針（３０）と、縫製物（５０）を載置して縫製位置と布切断位置とに移動する布受け板（１）と、前記縫製物を押える左右の押え足（１３、１４）を有する布押え装置と、を備える穴かがりミシンの布案内装置において、前記布受け板に取付けられた案内腕取付台（２０）と、前記案内腕取付台に回動自在に取付けられた布案内腕（１９）と、前記布案内腕の回動を１方向に付勢する付勢手段（ばね２１）と、布案内腕の回動量を調節するストッパー（２２）と、布案内腕に固定された布案内取付台（１８）と、前記布案内取付台に取付けられ、布受け板の移動時に、縫製物が前記針と干渉するのを防止する布案内カバー（１７）とを備え、前記布案内カバーを前記左右の押え足の上昇及び下降に無関係に設けたことを特徴とする。
【００１３】
この請求項１の発明によれば、布案内カバーを押え足の上昇及び下降に無関係に設けたので、ポケット内側（５２）の位置決めをする際に、押え足を上下しても、布案内カバーは上下動しない。従って、布案内カバー下部の凹部（１７ａ）に挿入した部分の縫製物が上下動しないため、ポケット内側も動かないので、位置決めしやすく、作業能率が向上する。
【００１４】
請求項２の発明は、請求項１に記載の穴かがりミシンの布案内装置において、例えば図１に示すように、布案内腕（１９）に傾斜面（１９ｂ）を設け、傾斜面に対するストッパー（２２）の位置を移動することにより、布案内カバー上面（１７ｂ）の高さを調節可能としたことを特徴とする。
【００１５】
この請求項２の発明によれば、請求項１の発明に記載の効果に加えて、布案内カバー上面の高さを調節可能としたので、縫製物を載置した布受け板が縫製位置から布切断位置へ移動する際、及び布切断位置から縫製位置へ移動する際に、布案内カバー上面が針の先端に触れない範囲内で、布案内カバーの高さを自由に調節することができ、縫製物を布案内カバーにセットする時の最適な布案内カバー高さを得ることができる。
【００１６】
請求項３の発明は、例えば図２、図３に示すように、上下動して縫製を行う針（３０）と、縫製物（５０）を載置して縫製位置と布切断位置とに移動する布受け板（１）と、前記縫製物を押える左右の押え足（１３、１４）を有する布押え装置と、を備える穴かがりミシンの布案内装置において、前記布受け板に取付けられた案内腕取付台（２０）と、前記案内腕取付台に回動自在に取付けられた布案内腕（１９）と、前記布案内腕の回動を１方向に付勢する付勢手段（２１）と、布案内腕の回動量を調節するストッパー（２２）と、布案内腕に固定された布案内取付台（１８）と、前記布案内取付台に取付けられ、布受け板の移動時に縫製物が前記針と干渉するのを防止する布案内カバー（１７）とを備え、布案内取付台に調節ねじ（２４）を設け、前記調節ねじの先端（２４ａ）が、前記左右の押え足の下降時の途中から、前記布押え装置を構成する布押えレバー（９）の端面（９ｂ）に接触するようにしたことにより、左右の押え足上昇時の前記布案内カバー上面（１７ｂ）の高さを、左右の押え足の上昇量に無関係に設定可能としたことを特徴とする。
【００１７】
この請求項３の発明によれば、押え足上昇時の布案内カバー上面の高さを、左右の押え足の上昇量に無関係に設定可能としたので、特に、厚い縫製物を布案内カバーにセットする際に、最適な布案内カバー高さを得ることができると同時に、ポケット内側（５２）の位置決めをする際に、左右の押え足を上下しても、布案内カバーは一定量しか上下動せず、布案内カバーの下部の凹部（１７ａ）に挿入した部分の縫製物が一定量しか上下動しないため、ポケット内側の動きが少ないので、位置決めしやすく、作業能率が向上する。
【００１８】
請求項４の発明は、請求項３に記載の穴かがりミシンの布案内装置において、例えば図２に示すように、調節ねじ（２４）の調節により、左右の押え足（１３、１４）の最下降時の左右の押え足下面（１３ａ、１４ａ）に対する布案内カバー下面（１７ｃ）の高さを変更可能としたことを特徴とする。
【００１９】
この請求項４の発明によれば、請求項３の発明に記載の効果に加えて、左右の押え足最下降時の左右の押え足下面に対する布案内カバー下面の高さを変更可能としたので、縫製物の厚さが変化して布案内カバーの下面に位置する縫製物が厚くなった場合でも、左右の押え足最下降時の左右の押え足下面に対する布案内カバー下面の高さを高くすれば、布案内カバーが持上げられず、左右の押え足も持上げられないため、左右の押え足で縫製物を十分な圧力で押えることができる。
【００２０】
請求項５の発明は、請求項１〜４に記載の穴かがりミシンの布案内装置において、布案内カバー（１７）が、十分な布受け面を有する板状部品で形成されていることを特徴とする。
この請求項５の発明によれば、布案内カバーを十分な布受け面を有する板状部品で形成したので、スラックス外側（５４）の一部が布案内カバーから上側にはみ出すことがなく、布押え装置が縫製位置から布切断位置へ移動する際、及び布切断位置から縫製位置へ移動する際に、針の先端がスラックス外側に触れることがない。
【００２１】
【発明の実施の形態】
以下、この発明の実施の形態について、図１、図２及び図３により説明する。図１、図３は、本発明の第１の実施例を示す布案内装置の主要部で、布押え装置が縫製位置にある状態を示し、図１の右方を前側（作業者側）、左方を後側とし、作業者側から見て左側、右側とする。
先ず布押え装置について説明する。
１は左布受け板、２は右布受け板であり、不図示の布送り台に着脱可能に取付けられている。布送り台は不図示の周知の布送り駆動装置により、針３０が最上昇位置付近にある時に、布押え装置を、針３０が上下動して縫製を行う縫製位置と、縫製位置より後側にあって不図示のメスにより布を切断する布切断位置とに移動させる。
【００２２】
左右の布受け板１、２の上面には左右の押え受け板３、４がねじ３ａで固定されている。また、左右の布受け板１、２の後部には、左右の押えレバー取付台５、５がねじ５ａで固定されており、左右の押えレバー取付台５、５には左右の支点軸６、６がＣリング７で回動可能に支持されている。左右の支点軸６、６には左右の布押えレバー９、１０がねじ９ａで固定され、不図示の押え上げ駆動装置により左右の支点軸６、６を支点に揺動駆動される。
【００２３】
左右の布押えレバー９、１０には左右の押え支持腕１１、１２の軸部がねじ８で固定されており、左右の押え支持腕１１、１２の先端には左右の押え足１３、１４がばね座金１６を介して段ねじ１５により回動可能に取付けられている。
そして、左右の布押えレバー９、１０が図１の矢印A方向に揺動すると、左右の押え足１３、１４が上昇し、図１の矢印Aの逆方向に揺動すると、左右の押え足１３、１４は下降する。
【００２４】
次に、布案内装置について説明する。
左の押えレバー取付台５の上面には、下部に上下方向の長穴２０ｂとばね掛け穴及び上部にねじ穴を有する案内腕取付台２０がねじ２０ａで固定されており、上部のねじ穴には段ねじ２６で布案内腕１９が回動自在に取付けられており、下部のばね掛け穴にはばね２１（付勢手段）の一端が掛けられ、ばね２１の他端は布案内腕１９のばね掛け穴に掛けられ、布案内腕１９を段ねじ２６を支点に反時計方向に付勢している。案内腕取付台２０の下部の長穴２０ｂには、布案内腕１９の回動量を調節するストッパー２２が、上下方向位置調節可能にナット２３で固定されている。
【００２５】
布案内腕１９は傾斜面１９ｂを有するレバー部と中央部の段ねじ穴部と長穴を有する腕部で形成されており、レバー部の傾斜面１９ｂがストッパー２２に接触することにより、布案内腕１９の回動を止めている。長穴を有する腕部には布案内取付台１８の上端部がねじ１９ａで固定されており、布案内取付台１８の下端部には布案内カバー１７がねじ１７ｄで固定されている。
【００２６】
第1の実施例は以上の構成であり、以下に作用を、例えば、スラックス５０の後ポケット外側５１に鳩目ボタン穴を縫製する場合について説明する。
鳩目穴かがりミシンでは、縫製時の鳩目ボタン穴の縫目の裏側が縫製物の表側となるため、
スラックス５０の後ポケットに鳩目ボタン穴を縫製する前に縫製物をセットする時には、左右の押え足１３、１４の上昇時に、後ポケットの入り口を押し広げて、ボタン穴が縫製されない側のポケット内側５３とウエスト側のスラックス外側５４とを、布案内カバー１７の下部の凹部１７ａに挿入後、ボタン穴が縫製される側のポケット内側５２を上にして、左右の押え足１３、１４の下側にセットし、左右の押え足１３、１４を下降させて後ポケット部を押える。
【００２７】
ここで、ポケット内側５２の位置を修正するために、左右の押え足１３、１４を上昇させても、布案内腕１９はばね２１で反時計方向に付勢されてストッパー２２に接触しているので、布案内カバー１７は上昇しない。
また、ストッパー２２の固定ナット２３を緩めて、ストッパー２２を上下方向に移動させると、布案内腕１９の回動量が変化するので、布案内カバー１７の高さを自由に調節することができる。
【００２８】
前記のように後ポケット部を布案内装置にセットすることにより、押し広げたポケット内側５３とスラックス外側５４とが左右の押え足１３、１４の前端側に戻らないように位置決めして保持することができる。
【００２９】
また、布案内カバー上面１７ｂの裏面でスラックス外側５４を下側に押しており、また、布案内カバー１７が板状部品で形成されているので、スラックス外側５４の一部が上側にはみ出すこともないため、布押え装置が不図示の布送り台とともに、図１の縫製位置よりも後側の布切断位置へ移動する際、及び布切断位置から縫製位置へ移動する際に、針３０の先端がスラックス外側５４に触れることを防止できる。
【００３０】
図２、図３は、本発明の第２の実施例を示す布案内装置の主要部で、第１の実施例に対し布案内取付台１８に調節ねじ２４がナット２５で固定されている点のみが異なる。
従って、調節ねじ２４の作用についてのみ説明し、構成については説明を省略する。
図２は布押え装置が縫製位置にある状態を示し、図２の右方を前側（作業者側）、左方を後側とし、作業者側から見て左側、右側とする。
【００３１】
図２（Ａ）は、左右の布押えレバー９、１０が矢印Ｃ方向に揺動し始め、左右の押え足１３、１４が最上昇位置から下降し、左の布押えレバー９の端面９ｂが調節ねじ２４の先端２４ａに接触した状態、または左右の押え足１３、１４が最下降位置から上昇し、左の布押えレバー９の端面９ｂが調節ねじ２４の先端２４ａから離れ始める状態を示す。
【００３２】
ここで、布案内腕１９はばね２１で反時計方向に付勢されてストッパー２２に接触して止っているので、左右の押え足１３，１４の下降時に左の布押えレバー９の端面９ｂが調節ねじ２４の先端２４ａを押すまでは、布案内カバー１７は下降しない。
【００３３】
この状態から、左の布押えレバー９の端面９ｂが調節ねじ２４の先端２４ａを更に押すと、布案内腕１９はばね２１の付勢力に抗して段ねじ２６を支点に時計方向に回動し、布案内カバー１７も下降する。この時、布案内腕１９の傾斜面１９ｂはストッパー２２から離れ、図２（Ｂ）に示すように隙間が生じ、この隙間は左右の押え足１３，１４の最下降時に最大となる。
【００３４】
図２（Ｂ）は、左右の押え足１３、１４が最下降し、スラックスのポケット内側５２を押えた状態を示す。
この状態から、ポケット内側５２の位置を修正するために、左右の布押えレバー９、１０を矢印Ｄ方向に揺動させて、左右の押え足１３、１４を上昇させた時、布案内カバー１７は布案内腕１９の傾斜面１９ｂとストッパー２２との前記隙間がなくなるまでは左右の押え足１３，１４と一緒に上昇するが、傾斜面１９ｂがストッパー２２に接触した後は左右の押え足１３，１４が更に上昇しても布案内カバー１７は上昇しない。従って、布案内カバー１７は左右の押え足１３，１４の上昇量に関係なく一定量しか上昇しない。
【００３５】
また、図２（Ｂ）において、調節ねじ２４の固定ナット２５を緩めて、調節ねじ２４の先端２４ａを後側に突出すと、布案内腕１９が時計方向に回動するので、左右の押え足１３，１４最下降時の左右の押え足下面１３ａ，１４ａに対する布案内カバー下面１７ｃの高さは低くなる。また、調節ねじ２４の先端２４ａを前側に引っ込めると、布案内腕１９が反時計方向に回動するので、左右の押え足１３，１４最下降時の左右の押え足下面１３ａ，１４ａに対する布案内カバー下面１７ｃの高さは高くなる。
【００３６】
なお、本発明は上述した実施の形態に限定されるものではなく、例えば、調節ねじまたは調節板を左の押え支持腕１１の軸部１１ａに接触させる構成としてもよい。
また、布案内カバー１７と布案内取付台１８と布案内腕１９とを一体物で形成する構成としてもよい。
さらに、布案内装置を右の押えレバー取付台上面に取付ける構成としてもよく、この場合は布案内装置の各構成部品を上記の各部品形状に対し左右対称形状とすればよい。
【００３７】
【発明の効果】
請求項１に記載の発明によれば、布案内カバーを押え足の上昇及び下降に無関係に設けたので、ポケット内側５２の位置決めをする際に、押え足を上下しても、布案内カバーは上下動しない。従って、布案内カバーの下部の凹部１７ａに挿入した部分の縫製物が上下動しないため、ポケット内側５２も動かないので、位置決めしやすく、作業能率を向上する優れた効果がある。
【００３８】
請求項２に記載の発明によれば、請求項１に記載の発明の効果に加えて、布案内カバー上面の高さを調節可能としたので、縫製物を載置した布受け板が縫製位置から布切断位置へ移動する際、及び布切断位置から縫製位置へ移動する際に、布案内カバー上面が針の先端に触れない範囲内で、布案内カバーの高さを自由に調節することができ、縫製物を布案内カバーにセットする時の最適な布案内カバー高さを得ることができるという優れた効果がある。
【００３９】
請求項３に記載の発明によれば、押え足上昇時の布案内カバー上面の高さを、押え足の上昇量に無関係に設定可能としたので、特に、厚い縫製物を布案内カバーにセットする際に、最適な布案内カバー高さを得ることができると同時に、ポケット内側５２の位置決めをする際に、押え足を上下しても、布案内カバーは一定量しか上下動せず、布案内カバー下部の凹部１７ａに挿入した部分の縫製物が一定量しか上下動しないため、ポケット内側５２の動きが少ないので、位置決めしやすく、作業能率を向上する優れた効果がある。
【００４０】
請求項４に記載の発明によれば、請求項３に記載の発明の効果に加えて、押え足最下降時の押え足下面に対する布案内カバー下面の高さを変更可能としたので、縫製物の厚さが変化して布案内カバーの下面に位置する縫製物が厚くなった場合でも、押え足最下降時の押え足下面に対する布案内カバー下面の高さを高くすれば、布案内カバーが持上げられず、押え足も持上げられないため、押え足で縫製物を十分な圧力で押えることができるという優れた効果がある。
【００４１】
請求項５に記載の発明によれば、布案内カバーを十分な布受け面を有する板状部品で形成したので、スラックス外側の一部が布案内カバーから上側にはみ出すことがなく、布押え装置が縫製位置から布切断位置へ移動する際、及び布切断位置から縫製位置へ移動する際に、針の先端がスラックス外側に触れるのを防止する優れた効果がある。
【図面の簡単な説明】
【図１】本発明における第１の実施の形態の布案内装置の主要部の側面図。
【図２】本発明における第２の実施の形態の布案内装置の主要部の側面図。
【図３】本発明における実施の形態の布案内装置の主要部の分解斜視図。
【図４】従来の布案内装置の主要部の側面図。
【図５】従来の布案内装置の主要部の平面図。
【符号の説明】
１、１０１            左布受け板
２、１０２            右布受け板
３、１０３            左押え受け板
４、１０４            右押え受け板
５、１０５            押えレバー取付台
６、１０６            支点軸
９、１０９        左布押えレバー
１０、１１０            右布押えレバー
１１、１１１            左押え支持腕
１２、１１２            右押え支持腕
１３、１１３            左押え足
１４、１１４            右押え足
１７              布案内カバー
１８              布案内取付台
１９              布案内腕
２０              案内腕取付台
２１              ばね（付勢手段）
２２              ストッパー
２４              調節ねじ
３０              針
５０              縫製物（スラックス）
１００            布送り台
１１７            左布案内押え具
１１８            右布案内押え具
【図１】
0004246886.tif 000002
【図２】
0004246886.tif 000003
【図３】
0004246886.tif 000004
【図４】
0004246886.tif 000005
【図５】
0004246886.tif 000006